(57)【要約】【課題】空気調和機の室内機が待機状態においては、空気清浄ユニットへの電源供給を遮断し消費電力を低減する。【解決手段】空気調和機の室内機１の電子制御装置２において、電源部３から空気清浄ユニット５に供給される電源ラインに、制御部８からの信号で制御されるスイッチ制御部１４を設けて、空気調和機の室内機１が待機状態になればスイッチ制御部１４をオープンして、空気清浄ユニット５とインターフェイス回路７への電源供給を遮断する。【選択図】図１
2005133968.tif 000002
【特許請求の範囲】
【請求項１】
室内機本体に、空気清浄ユニット及び吸込みグリルが取り付けられる構造の空気調和機において、吸込みグリルの開閉に連動して空気清浄ユニットの高圧電源部に電源を供給するドアスイッチが設けられ、室内機側と空気清浄ユニット側との間には、信号配線をコネクタで接続し、空気清浄ユニットの高圧電源部に供給された電源の一部が前記コネクタを通って、室内機本体の制御部に入力される構成とし、前記室内機本体及び空気清浄ユニットに電源を供給する電源部から空気清浄ユニットへ電源を供給するラインにスイッチ制御部を設けて、室内機本体が待機状態において前記制御部で空気清浄ユニットの高圧電源部への電源供給を遮断することを特徴とする空気調和機。
【請求項２】
室内機本体の制御部からの信号により、空気清浄ユニットの高圧電源部の電源ラインのスイッチ制御部をコントロールすることを特徴とする請求項記載１記載の空気調和機。
【請求項３】
空気清浄ユニットの高圧電源部の電源ラインのスイッチ制御部自身が、室内機本体の制御部が待機状態であることを判断して、空気清浄ユニットの高圧電源部への電源供給を遮断することを特徴とする請求項１記載の空気調和機。
【発明の詳細な説明】
【技術分野】
【０００１】
本発明は、電気集塵方式の空気清浄ユニットを搭載した空気調和機の室内機の制御に関するものである。
【背景技術】
【０００２】
従来、この種の電気空気清浄ユニットを搭載した空気調和機は、吸込みグリルの開閉検知回路や、空気清浄ユニットの高圧電源部の取り付け検知回路が空気調和機の室内機の制御部に設けられている（例えば、特許文献１参照）。
【０００３】
図２は特許文献１に記載された従来の空気調和機の室内機のブロック図を示すものである。図２に示すように、空気調和機の室内機２１の電子制御装置２２内にある電源部３から、ドアスイッチ４を経由して空気清浄ユニット５の高圧電源部６に電源が供給され、供給された電源の一部は、吸込みグリルの開閉検知信号あるいは、空気清浄ユニット５の取り付け検知信号として、高圧電源部６から電子制御装置２２に入り、インターフェイス回路７を通り、制御部２８にパネル／コネクタ異常信号９として入力されるように構成されている。そして、空気清浄ユニットが取り付けられていない、あるいは吸込みグリルが完全に閉まっていない場合には、ドアスイッチがオープンして空気清浄ユニットへの電源供給を遮断する。
【特許文献１】特開平６−７４４８１号公報
【発明の開示】
【発明が解決しようとする課題】
【０００４】
しかしながら、前記従来の構成では、空気清浄ユニット５の高圧電源部６は、商用電源１０が空気調和機の室内機１に供給されている限り、常時通電されているため、空気調和機１が待機状態になっても空気清浄ユニット５の高圧電源部６内部あるいは、インターフェイス回路７で電力消費が発生するという課題を有していた。
【０００５】
本発明は、前記従来の課題を解決するもので、空気清浄ユニットの高圧電源部への電源供給は、常時通電せず、空気調和機の室内機が待機状態においては、空気清浄ユニットの高圧電源部への電源供給を遮断して消費電力を低減した空気調和機を提供することを目的とする。
【課題を解決するための手段】
【０００６】
前記従来の課題を解決するために、本発明の空気調和機は、室内機の電源部から空気清浄ユニットの高圧電源部への電源供給を遮断するスイッチ制御部を設けたものである。
【０００７】
これによって、空気調和機が待機状態においては空気清浄ユニットの高圧電源部への電源を遮断して消費電力を削減し、それに伴って空気清浄ユニットからインターフェイス回路への異常信号もなくなり、インターフェイス回路での消費電力も削減することができ、待機状態における消費電力を低減することができる。
【発明の効果】
【０００８】
本発明の空気調和機は、待機状態において消費電力を低減することができる。
【発明を実施するための最良の形態】
【０００９】
第１の発明は、空気清浄ユニットの高圧電源部へ電源供給する手前にスイッチ制御部を備えることにより、空気調和機が運転状態及び待機状態で高圧電源部への電源供給の通電
・遮断の切替えが可能となり、待機状態では、電源供給を遮断することによって空気調和機の消費電力を低減することができる。
【００１０】
第２の発明は、特に第１の発明で室内機本体の制御部からの信号によりスイッチ制御部をコントロールすることにより、スイッチ制御部は単純なスイッチ機能だけでよく、安価で簡単な構成とすることができる。
【００１１】
第３の発明は、特に第１の発明でスイッチ制御部自身が室内機本体の制御部が待機状態であることを判断して、空気清浄ユニットの高圧電源部への電源供給を遮断する構成とすることにより、室内機本体の制御部の制御は従来と同じとすることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の室内機の構成を示すブロック図である。
【００１４】
図１において、空気調和機の室内機１は、電子制御装置２と空気清浄ユニット５を搭載し、吸込みグリル（図示せず）が取り付けられる構造になっており、吸込みグリルの開閉に連動して空気清浄ユニット５の高圧電源部６に電源を供給するドアスイッチ４が設けられ、室内機１の本体側と空気清浄ユニット５側との間に接続され他の信号配線と共にコネクタ１２で接続され、空気清浄ユニット５の高圧電源部６に供給された電源の一部が前記コネクタ１２を通って室内機１の本体の制御部８に入力される。電子制御装置２は、商用電源１０より電源供給を受け電子制御装置２内と空気清浄ユニット５に供給する電源を生成する電源部３と、各部の動作を制御する制御部８と、高圧電源部６への電源供給情報を前記コネクタ１２を通して制御部８に伝えるインターフェイス回路７と、制御部８からの信号によって空気清浄ユニット５への電源供給を開閉制御するスイッチ制御部１４から成っている。空気清浄ユニット５は、集塵部１１と集塵部１１に高圧電源を供給する高圧電源部６からなっており、前記電子制御装置２内の電源部３からスイッチ制御部１４と吸込みグリル開閉検知用のドアスイッチ４の直列回路を経由して、高圧電源部６に電源が供給される。吸込みグリルが開いてドアスイッチ４がオープンあるいは、コネクタ１２が未接続であれば、前記高圧電源部６に電源が供給されず、空気清浄ユニット５の運転が停止する。また、集塵部１１で異常放電あるいは高圧電源部６で電気回路に異常がある場合には、空気清浄ユニット異常信号１３が制御部８に送られ、制御部８はスイッチ制御部１４をオープンにして電源供給を遮断し空気清浄ユニット５を停止させる。
【００１５】
以上のように構成された空気調和機において、前記電源部３から空気清浄ユニット５の高圧電源部６に供給される電源は、電子制御装置２内の制御部８からの信号で制御されるスイッチ制御部１４を通っており、制御部８は一定時間運転しないか、あるいは室内機１が待機状態になると、前記スイッチ制御部１４にオープンにする信号を送り、空気清浄ユニット５への電源供給を遮断する。これによってインターフェイス回路７への電源供給も遮断される。
【００１６】
また本実施の形態で、スイッチ制御部１４自身が室内機本体の制御部８が待機状態であることを判断して、空気清浄ユニット５への電源供給を遮断する構成としてもよい。
【００１７】
以上のように、本実施の形態における空気調和機が待機状態においては、制御部８からスイッチ制御部１４に信号を送りスイッチ制御部１４をオープンにする、あるいはスイッチ制御部１４自身が室内機本体の制御部８が待機状態であることを判断して、空気清浄ユ
ニット５への電源供給を遮断することにより、待機状態での空気清浄ユニット５とインターフェイス回路７での消費電力を遮断できるので、空気調和機の待機状態での消費電力を低減することができる。
【産業上の利用可能性】
【００１８】
以上のように、本発明にかかる空気調和機は、待機状態の消費電力低減が可能となるので、本体は常時通電しているが一部の機能ユニットは本体の待機状態時に動作を停止する機器、例えば電気的脱臭ユニット付き機器等の用途にも適用できる。
【図面の簡単な説明】
【００１９】
【図１】本発明の実施の形態１における空気調和機の室内機のブロック図
【図２】従来の空気調和機の室内機のブロック図
【符号の説明】
【００２０】
１  空気調和機の室内機
２  電子制御装置
３  電源部
４  ドアスイッチ
５  空気清浄ユニット
６  高圧電源部
７  インターフェイス回路
８  制御部
９  パネル／コネクタ異常信号
１０  商用電源
１１  集塵部
１２ａ，１２ｂ  コネクタ
１３  空気清浄ユニット異常信号
１４  スイッチ制御部
【図１】
2005133968.tif 000003
【図２】
2005133968.tif 000004